(57)【要約】天然の生物分解性組成物が、その製造方法と共に記載される。生物分解性材料から作られた擬似餌及びその他の品目は、汚染を減少させるために、時間が経てば淡水又は塩水中で崩壊する。材料は、魚及びその他の水生動物によって消化可能であり、開示された天然の生物分解性材料から作られる擬似餌又はその他の品目を摂取することからくる動物への潜在的な害を減少させる。材料は、消化可能なので、魚及び水生動物用の餌源又はサプリメントとしても使用され得る。【特許請求の範囲】
【請求項１】
可撓性かつ弾性材料から形成された本体を含み、前記材料は少なくとも１種の炭水化物及び少なくとも１種のタンパク質を含み、かつ淡水及び塩水中で生物分解性であり、本体は、魚の天然餌源の一般的な形状に形成される生物分解性擬似餌。
【請求項２】
前記材料は、固体ベースで約５０％−９０％の炭水化物、及び約１０％−５０％のタンパク質を含む請求項１に記載の生物分解性擬似餌。
【請求項３】
炭水化物は、天然炭水化物であり、かつタンパク質は、天然タンパク質である請求項１に記載の生物分解性擬似餌。
【請求項４】
少なくとも１種の炭水化物は、ブドウ糖、果糖、ショ糖、乳糖、麦芽糖、セロビオース、グリセロール、トウモロコシデンプン、小麦デンプン、米デンプン、及び／又はジャガイモデンプンであり；かつ少なくとも１種のタンパク質は、カゼイン、乳漿タンパク質、ゼラチン、グルテン、大豆タンパク質、及び／又はアルブミンである請求項１に記載の生物分解性擬似餌。
【請求項５】
前記材料は、少なくとも１種の水溶性ゴムを更に含む請求項１に記載の生物分解性擬似餌。
【請求項６】
前記水溶性ゴムは、キサンタンガム、カラゲナン、ガーゴム、イナゴマメゴム、アラビノガラクタン、アラビアゴム、寒天、及び／又はペクチンである請求項５に記載の生物分解性擬似餌。
【請求項７】
前記材料は、少なくとも１種の魚誘引剤を更に含む請求項１に記載の生物分解性擬似餌。
【請求項８】
前記少なくとも１種の魚誘引剤は、魚タンパク質加水分解物、魚油、フィッシュミール、粉砕甲殻類動物、粉砕イガイ、魚粉、果物、香辛料、ニンニク、ニンニク油、中性Ｌ−アミノ酸、ベタイン、ヌクレオチド、イノシン、イノシン−５−モノリン酸、スルホニウム化合物、ジメチルテチン、ジメチルプロピオテチン、金属化グリッタ、金属グリッタ、及び／又は食品用着色料を含む請求項７に記載の生物分解性擬似餌。
【請求項９】
前記材料は、ショ糖、ゼラチン、グリセロール、カッパカラゲナン、及び塩化カリウムを含む請求項１に記載の生物分解性擬似餌。
【請求項１０】
約３０％−７０％のショ糖、約３％−３５％のゼラチン、約２０％−５０％のグリセロール、約２％−６％のカッパカラゲナン、及び約０．１％−２．０％の塩化カリウムを含む請求項９に記載の生物分解性擬似餌。
【請求項１１】
前記材料は、ショ糖、ゼラチン、アルギン酸ナトリウム、イナゴマメゴム、塩化カルシウム、デンプン、トウモロコシシロップ、グリセリン、安息香酸ナトリウム及びメタリン酸ナトリウムを含む請求項１に記載の生物分解性擬似餌。
【請求項１２】
約５％−１５％のショ糖、約１０％−３０％のゼラチン、約１％−５％のアルギン酸ナトリウム、約１％−５％のイナゴマメゴム、約０．１％−１％の塩化カルシウム、約１％−５％のデンプン、約３０％−５０％のトウモロコシシロップ、約１％−５％のグリセリン、約１％−３％の安息香酸ナトリウム、及び約１％−３％のメタリン酸ナトリウムを含む請求項１１に記載の生物分解性擬似餌。
【請求項１３】
前記材料は、ショ糖、ゼラチン、アルギン酸ナトリウム、塩化カルシウム、デンプン、メタリン酸ナトリウム、トウモロコシシロップ、及びグリセリンを含む請求項１に記載の生物分解性擬似餌。
【請求項１４】
前記材料は、ショ糖、ゼラチン、カッパカラゲナン、及び塩化カリウムを含む請求項１に記載の生物分解性擬似餌。
【請求項１５】
少なくとも１種の天然炭水化物、ここで天然炭水化物は、単糖類、二糖類、多糖類、及び／又はデンプンである；
少なくとも１種の天然タンパク質、ここでタンパク質は、ゼラチン、カゼイン、乳漿、グルテン、大豆タンパク質、及び／又はアルブミンである；
少なくとも１種の水溶性天然ゴムを含む生物分解性材料。
【請求項１６】
徐放性被覆剤として物体に加えられる、請求項１５に記載の生物分解性材料。
【請求項１７】
少なくとも１種の天然炭水化物は、ブドウ糖、果糖、ショ糖、乳糖、麦芽糖、セロビオース、グリセロール、トウモロコシデンプン、小麦デンプン、米デンプン、及び／又はジャガイモデンプンであり；少なくとも１種の天然タンパク質は、カゼイン、乳漿タンパク質、ゼラチン、グルテン、大豆タンパク質、及び／又はアルブミンであり；かつ前記水溶性天然ゴムは、キサンタンガム、カラゲナン、ガーゴム、イナゴマメゴム、アラビノガラクタン、アラビアゴム、寒天、及び／又はペクチンである請求項１５に記載の生物分解性材料。
【請求項１８】
少なくとも１種の魚誘引剤を更に含む請求項１５に記載の生物分解性材料。
【請求項１９】
前記少なくとも１種の魚誘引剤は、魚タンパク質加水分解物、魚油、フィッシュミール、粉砕オキアミ、粉砕イガイ、魚粉、果物、香辛料、ニンニク、ニンニク油、中性Ｌ−アミノ酸、ベタイン、ヌクレオチド、イノシン、イノシン−５−モノリン酸、スルホニウム化合物、ジメチルテチン、ジメチルプロピオテチン、金属化グリッタ、金属グリッタ、及び／又は食品用着色料を含む請求項１８に記載の生物分解性擬似餌。
【請求項２０】
請求項１５に記載の生物分解性材料を少なくとも部分的に含む擬似餌。
【請求項２１】
請求項１５に記載の生物分解性材料を少なくとも部分的に含む魚餌。
【請求項２２】
ショ糖、ゼラチン、グリセロール、カッパカラゲナン、及び塩化カリウムを含む請求項１５に記載の生物分解性材料。
【請求項２３】
ショ糖、ゼラチン寒天、塩化カルシウム、デンプン、トウモロコシシロップ及びグリセリンを含む請求項１５に記載の生物分解性材料。
【請求項２４】
ショ糖、ゼラチン、アルギン酸ナトリウム、塩化カルシウム、デンプン、メタリン酸ナトリウム、トウモロコシシロップ、グリセリン、及びイナゴマメゴムを含む請求項１５に記載の生物分解性材料。
【請求項２５】
ショ糖、ゼラチン、カッパカラゲナン、及び塩化カリウムを含む請求項１５に記載の生物分解性材料。
【請求項２６】
少なくとも１種の天然炭水化物及び少なくとも１種の天然タンパク質を含み、前記材料は、可撓性かつ弾性であり、かつ約０．５ｋｇから約１．５ｋｇの間のインストロン引張り強度、及び約１から約２の硬度因子を有する生物分解性材料。
【請求項２７】
材料は、切断前に少なくとも約２５％の伸びを可能にする請求項２６に記載の生物分解性材料。
【請求項２８】
少なくとも１種の天然炭水化物及び少なくとも１種の天然タンパク質を含む材料から形成された本体、但し前記材料は、魚によって消化可能である；及び
前記本体に取り付けられる少なくとも１つの釣り針を含む生物分解性擬似餌。
【請求項２９】
組成物を形成するために、少なくとも１種の天然炭水化物及び少なくとも１種の天然タンパク質を含む成分を混合すること；
組成物を擬似餌形状に成形すること；及び
可撓性かつ弾性であり、かつ切断前に少なくとも約２５％の伸びを可能にする材料を製造するために、成形組成物を硬化することを含む生物分解性材料の製造方法。
【請求項３０】
前記硬化ステップに先立ち、成形型中の成形組成物を冷却することを更に含む請求項２９に記載の方法。
【請求項３１】
前記硬化ステップは、約４℃で、約２０−４４時間、成形組成物を硬化することを含む請求項２９に記載の方法。
【請求項３２】
前記硬化ステップは、約２５℃で、約１０−３０時間、成形組成物を硬化することを含む請求項２９に記載の方法。
【請求項３３】
前記硬化ステップは、約５０℃で、約３−５時間、成形組成物を硬化することを含む請求項２９に記載の方法。
【発明の詳細な説明】
【技術分野】
【０００１】
この出願は、あらゆる目的のために全体として参考のため、本願明細書に援用する、２００１年９月４日に出願された米国仮特許出願第６０／３１８，２３４号の利益を主張する。
【０００２】
本発明は一般的に、材料及び製造の分野に、かつ特には生物分解性組成物、及び生物分解性擬似餌を含む品目を製造するための加工方法に関する。
【背景技術】
【０００３】
皆、釣りは好きである。それをレクリエーション、競技、気晴らし、食料又は家族の楽しみのためにするのであれ、釣りは、長年人気のある活動であった。また、新しい世代の釣り人がこのスポーツに夢中になるにつれ、釣り人の数は増加し続けている。この持続的かつ高まりつつある興味の結果として、大きな、かつ世界的な産業が、改良された釣り具及び用具類の製造及びマーケティングにおいて発展した。このスポーツの多大な人気を博しているある特別な部分は、バス釣りである。効果的な餌又は擬似餌の選択は、どのタイプの釣りでも、成功及び楽しみのより重要な側面の一つであるが、バス釣りでは、特にそうである。
【０００４】
一般に市場に出ている大部分の人工擬似餌は、合成の非生物分解性重合体（すなわち、ゴム、プラスチック等）から製造される。かかる擬似餌が、釣りの間に釣り針及び／又は釣り糸から外れるならば、魚がそれを食べ、消化管中で消化されないままであり得るか、または汚染物質として環境中で変化しないままであり得る。その上、合成ゴム又はプラスチックの擬似餌の製造は概して、環境を更に害し得る多数の廃棄物副産物を有する石油関連製品の使用を伴う。水上の釣り人の数が増加するにつれ、これら人工非生物分解性プラスチック擬似餌の環境に対する悪影響がますます深刻になる。
【０００５】
天然及び／又は食品用原料から製造された効果的な生物分解性擬似餌を備えることは、人工擬似餌の製造及び使用に起因する地球の生態系への害を防ぐ又は減少させることに役立つであろう。しかしながら、大部分の釣り人は、新しいタイプの擬似餌が適切な感触及び外見を有さない限り、それに移りそうにはない。かつ、最も重要なことであるが、新規な擬似餌は、魚を捕らえることにおいて効果的であるべきである。今まで、効果的な擬似餌製造での使用に適した天然かつ生物分解性の材料の製法は、判り難いことが証明されていた。例えば、擬似餌製造用の幾つかの以前の組成物が、生物分解性であると主張されたが、天然に生ずる原料から作られておらず、かつ／又は商業的有用性のために望ましい一般に用いられる軟質プラスチックのレクリエーション向き擬似餌の物理的特性を欠いていた。生物分解性であると主張されたその他の組成物は、環境中で生物分解し、かつ／又は許容期間内に魚の消化管から除去される十分な能力に欠けると考えられている。
【０００６】
また、生物分解性であると主張された以前に公知であった組成物から形成された製品は、多くの場合、餌又は擬似餌に実質的な又は繰り返される圧力又は衝撃を受けさせる、急激な移動及び繰り返される投げ入れのような、種々の釣りの行動に耐えることができない。その他の、生物分解性であると主張された以前に公知であった材料は、成形後、数時間冷凍することによる硬化のような、高価であり、それ故に商業的に不利な製造技術を必要とする。その他の公知の製品は、効率的な擬似餌を製造するために必要とされる物理的形状、凝集強さ、弾性、又は可撓性を有さない。加えて、かつ釣り人には非常に重要なことに、実際の釣りの試験により、魚を捕らえることにおける望ましい物理的特性及び効力は、多くの以前公知であった製品に欠けていることが立証されている。例えば、幾つかの以前公知であった材料の物理的特性は、材料が、種々の人気の形状（例えば魚、トカゲ、虫等）の擬似餌に形成されることを妨げる。バス釣り用擬似餌の要求される「行動」は、かかる材料から製造された擬似餌によって大幅に制限される。
【０００７】
従って、改良された生物分解性材料及び擬似餌を製造する方法に関して、必要性が存在することが判る。これら及びその他の必要性に応じる材料及び方法を備えることに、本発明は、第一に向けられる。
【発明の開示】
【課題を解決するための手段】
【０００８】
本発明の例となる実施態様は、天然及び／又は食品用原料からなる安価な、生物分解性擬似餌又は餌、及びその製造方法を提供する。特に、時間が経てば淡水又は塩水環境中で崩壊し、水生種の消化管中で速く消化され、かつ植物及び動物に無毒である生物分解性擬似餌が、開発された。本発明の例となる実施態様は、典型的な巻き上げ、投げ入れ、流し釣り、及びその他の釣りの行動に耐える生物分解性擬似餌を提供する。本発明の実施態様は、釣り具箱及びボートのような釣り環境の典型的な貯蔵条件に首尾よく耐えている。加えて、本発明の実施態様は、競争価格で、かつ立証された魚を捕らえる能力を有する天然の生物分解性擬似餌を製造する。
【０００９】
本発明の例となる実施態様は、現在公知である人工擬似餌に対して多数の驚くべき利点を提供することが発見された。例えば、擬似餌が使用中にゆっくりと溶解するにつれ、粒子の「まき餌の流れ（chum-trail）」が、水中で擬似餌の後に続き、魚が擬似餌の後を追い、かつ位置を突き止めることを可能にし、当りの数を増加させる可能性がある。その上、本発明の例となる実施態様の天然の生物分解性材料は、養殖魚、小エビ、ザリガニ又はその他の動物を生き餌から造粒型餌に移行させるための移行的な魚餌としての用途を含む擬似餌以外の用途に役立ち得る。ビタミン、ミネラル及び／又はその他の添加剤が、材料の外観及び感触に著しく影響を及ぼすことなく、組成物に加えられ得る。製造工程からの廃棄物は、容易に再利用され、堆肥にされ、かつ／又は魚及び他の動物の餌源として使用されることさえも可能である。また、本発明の例となる実施態様の材料は、天然及び／又は食品用原料からなるので、昆虫及びその他の動物、細菌、菌類等のような幅広い生物学的有機体が、消費することができ、かつ少なくとも部分的に材料を消化し、それにより材料から作られた廃棄物の分解を促進させる。かつそれらは、石油化学溶剤及び可塑剤を含まないので、本発明の例となる実施態様に従って作られた擬似餌は、多くの既存の人工の虫及びその他の餌がし得るように、釣り具箱のトレーを溶解する傾向がない。
【００１０】
ある側面において、本発明は、可撓性かつ弾性材料から形成された本体を含む生物分解性擬似餌である。材料は、好ましくは少なくとも１種の炭水化物及び少なくとも１種のタンパク質を含み、かつ淡水及び塩水中で生物分解性である。本体は、好ましくは、魚の天然餌源の一般的な形状に形成される。
【００１１】
もう一つの側面において、本発明は、生物分解性材料である。材料は、好ましくは、少なくとも１種の天然炭水化物を含み、ここで天然炭水化物は、単糖類、二糖類、多糖類、及び／又はデンプンである。材料は、好ましくは少なくとも１種の天然タンパク質も含み、ここでタンパク質は、ゼラチン、カゼイン、乳漿、グルテン、大豆タンパク質、及び／又はアルブミンである。材料は、好ましくは少なくとも１種の水溶性天然ゴムも含む。
【００１２】
更にもう一つの側面において、本発明は、少なくとも１種の天然炭水化物及び少なくとも１種の天然タンパク質を含む生物分解性材料である。材料は、好ましくは可撓性かつ弾性であり、約１ｋｇから約４ｋｇの間のインストロン５の硬度を有し、かつ切断前に少なくとも約２５％の伸びを可能にする。
【００１３】
なおももう一つの側面において、本発明は、少なくとも１種の天然炭水化物及び少なくとも１種の天然タンパク質を含む材料から形成された本体を含む生物分解性擬似餌であり、材料は、魚によって消化可能であり、かつ少なくとも１つの釣り針が、擬似餌の本体に取り付けられる。
【００１４】
更にもう一つの側面において、本発明は、生物分解性材料の製造方法である。方法は、好ましくは、組成物を形成するために、少なくとも１種の天然炭水化物及び少なくとも１種の天然タンパク質を含む成分を混合すること；組成物を擬似餌形状に成形すること；及び可撓性かつ弾性であり、かつ切断前に少なくとも約２５％の伸びを可能にする材料を製造するために、成形組成物を硬化することを含む。
【００１５】
本発明のこれら及びその他の側面、特徴及び利点は、図面及びここでの詳細な説明を参照して理解され、かつ添付の特許請求の範囲で特に示す種々の要素及び組み合わせによって実施されるであろう。前述の一般的な説明、並びに以下の図面の簡単な説明、及び発明の詳細な説明の両方は、本発明の好ましい実施態様の代表的、かつ説明的なものであり、かつ特許請求された通りの発明を限定するものでないことが理解される。
【発明を実施するための最良の形態】
【００１６】
本発明は、開示の一部をなす、添付の図面と関係して解される以下の発明の詳細な説明を参照することにより、より容易に理解され得る。この発明は、ここに記載され、かつ／又は示される特定の装置、方法、条件又はパラメータに限定されないこと、及びここに使用される用語は、特定の実施態様をほんの一例として記載するためであり、かつ特許請求された発明の限定であることが意図されないことが理解されるべきである。また、添付の特許請求の範囲を含む明細書に使用されているように、単数形「a」「an」及び「the」は、複数形を含み、かつ特定の数値への言及は、文脈が明らかに別に指示しない限り、少なくともその特定の値を含む。範囲は、「約（about）」又は「およそ（approximately）」のある特定値から、及び／又は「約」又は「およそ」のもう一つの特定値へ、としてここで表現され得る。かかる範囲が表現される時、もう一つの実施態様は、一方の特定値から、及び／又は他方の特定値へ、を含む。同様に、先行詞「約」の使用により値が近似値として表現される時、特定値がもう一つの実施態様となることが理解される。
【００１７】
実施態様において、本発明は、天然に生ずる炭水化物及びタンパク質を含む生物分解性材料である。材料の成分は、好ましくは単糖類、二糖類及び／又は多糖類、ブドウ糖、果糖、ショ糖、乳糖、麦芽糖、セロビオース、グリセロールを含む糖類、トウモロコシデンプン、小麦デンプン、米デンプン、ジャガイモデンプンを含むデンプン、キサンタンガム、カラゲナン、ガーゴム、イナゴマメゴム、アラビノガラクタン、アラビアゴム、寒天、ペクチン等を含む水溶性ゴムのような天然炭水化物、及びカゼイン、乳漿タンパク質、ゼラチン、グルテン、大豆タンパク質、アルブミン等のような天然タンパク質から選択される。ここで使用されているように、「天然」等は、天然に生ずる材料、並びに天然に生ずる材料と同一の人造又は合成材料を含む。
【００１８】
好ましい形状において、本発明の生物分解性材料は、少なくとも１種の糖類、少なくとも１種の炭水化物重合体、及び少なくとも１種のタンパク質を含み；ここで糖類、炭水化物重合体、及びタンパク質成分の含有率は、固体ベースでそれぞれ約５０％−９０％、約２％−１５％、及び約１５％−４０％からである。更に好ましい実施態様において、本発明の生物分解性材料は、固体ベースでそれぞれ約５０％−９０％、約５％−１５％、及び約１５％−３０％の範囲で天然糖類、天然炭水化物重合体、及び天然タンパク質成分を含む。
【００１９】
塩、食品用防腐剤、香料添加剤、栄養素、ビタミン、ミネラル、及び／又はその他の添加剤も、任意に含まれる。魚タンパク質加水分解物、魚油、フィッシュミール、粉砕甲殻類動物、粉砕イガイ、魚粉、果物、香辛料、ニンニク、ニンニク油、抽出物等を含む天然飼料エンハンサ；中性Ｌ−アミノ酸、ベタイン、ヌクレオチド（例えば、イノシン、イノシン−５−モノリン酸）、スルホニウム化合物（例えば、ジメチルテチン、ジメチルプロピオテチン）の混合物等を含む合成飼料エンハンサ；及び／又は金属化又は金属グリッタ、プラスチック及びマイラグリッタ及び／又は食品用着色料を含む視覚誘引剤のような、誘引剤又は摂食刺激物質も、任意に含まれる。かかる誘引剤は、乾燥重量ベースで約２％から約１０％又はそれ以下の量で、本発明の生物分解性材料に任意に含まれる。
【００２０】
特殊な例となる実施態様において、本発明の生物分解性材料は、水、ショ糖、ゼラチン、グリセロール、カッパカラゲナン、塩化カリウム、防腐剤及び食品着色料の配合物を含む。更なる好ましい実施態様において、ショ糖、ゼラチン、グリセロール、カッパカラゲナン、塩化カリウム、及びソルビン酸カリウム原料が、固体ベースでそれぞれ約３０％−７０％、約３％−３５％、約２０％−５０％、約２％−６％、約０．１％−２．０％、及び約０．１％−２．０％からの範囲で存在する。なおも更なる好ましい実施態様において、材料は、極微量の魚誘引剤／擬臭を更に含む。
【００２１】
他の特殊な例となる実施態様において、本発明の生物分解性材料は、水、ショ糖、ゼラチン寒天、塩化カルシウム、デンプン、トウモロコシシロップ、グリセリン及び食品着色料の配合物を含む。更なる好ましい実施態様において、本発明の生物分解性材料は、好ましくは固体ベースでそれぞれ約５％−１５％、約１０％−３０％、約１％−５％、約１％−５％、約０．１％−１％、約１％−５％、約３０％−５０％、約１％−５％、約１％−３％、及び約１％−３％からの範囲で存在する、ショ糖、ゼラチン、アルギン酸ナトリウム、イナゴマメゴム、塩化カルシウム、デンプン、トウモロコシシロップ、グリセリン、安息香酸ナトリウム及びメタリン酸ナトリウムの配合物を含む。なおも更なる好ましい実施態様において、材料は、魚誘引剤／擬臭を更に含む。
【００２２】
なおも他の特殊な例となる実施態様において、本発明の生物分解性材料は、ショ糖、ゼラチン、アルギン酸ナトリウム、塩化カルシウム、デンプン、メタリン酸ナトリウム、トウモロコシシロップ、グリセリン及び食品着色料の配合物を含む。なおも更なる好ましい実施態様において、材料は、魚誘引剤／擬臭を更に含む。
【００２３】
もう一つの実施態様において、かつ図面を参照して、本発明は、ここに開示される１種以上の生物分解性材料から作られる擬似餌１０である。擬似餌１０は、好ましくは追跡される魚の種の天然餌源の形状に形成される。例えば、描写した実施態様において、擬似餌１０は、トカゲの形状に形成される。代わりの実施態様は、虫、ザリガニ、餌魚、カエル、魚卵、又は他のタイプの動物又は植物物質の形状に形成される。擬似餌１０は、好ましくは掛かった魚によって外れることを阻むための顎付き端部を含む１つ以上の釣り針２０を含む、又は受ける。擬似餌１０及び／又は釣り針２０は、好ましくは擬似餌／釣り針を鉤素又は釣り糸に固着するためのはと目３０又はその他の接続点を含む。
【００２４】
本発明のなおも他の実施態様は、魚、小エビ又はその他の水生動物用の餌としてここに開示された１種以上の生物分解性材料の使用を含む。材料は、飼育場及び水産養殖設備内で育てられる魚の移行的な魚餌としての用途に特に適する。新しく孵化した魚は、最初に生き餌を食べ、かつ次に食用造粒型餌に移行され得る。本発明の材料は、好適には、魚を生き餌源から固形飼料に移行させるのに適した軟質の、味の良い餌源に水和される。ビタミン、ミネラル、成長ホルモン等を含む添加剤は、本発明の餌材料に任意に含まれる。
【００２５】
本発明は、物体の徐放性被覆剤として使用される、ここに開示されたような天然生物分解性材料も含む。例えば、食品、薬、肥料又はその他の放出される材料の部片は、ここに開示された天然生物分解性材料の層で被覆される。被覆された材料は、次に標的有機物によって消費されるか、又は被覆が放出材料を露出し、かつ解放するために、時間が経てば生物分解する環境に放出される。被覆層の厚さ及び／又は含有量を選択的に制御することにより、放出時間は、制御され得る。例えば、多量の放出材料が、変動する持続時間の被覆で提供され得、それにより放出材料の様々な部分が、様々な時間で解放される。本発明は、ここに記載されたような天然生物分解性材料で被覆された放出材料、及び放出材料を天然生物分解性材料で被覆する方法も含む。
【００２６】
なおも他の実施態様において、本発明は、ここに記載されたような生物分解性材料から形成される包装材及び容器のような物体を含む。例えば、ボート用品、釣り具、及び種々の他の水上関係製品が、偶然又は意図的に水域中又は周辺に配置された場合、時間が経てば自然に崩壊し、それにより水汚染を減少させる生物分解性容器又は包装中で販売され得る。水中で自然に生物分解する、生物分解性材料で製造された例えば６個入りパック「リング」のような食品又は飲料包装材は、潜在的な汚染源、並びに魚及びその他の水生動物の傷害を好適には除去する。
【００２７】
本発明の他の例となる実施態様は、本発明の生物分解性材料から形成される水上装置の種々の品目を含む。例えば、カニ又はイセエビ捕り器の場所を突き止めるために使用されるマーカブイ、及びジャグ釣り（jug-fishing）用に使用される浮きは、所定の期間よりも長く水中に残された場合、崩壊する生物分解性材料から形成され得る。このように、かかる品目が忘却、紛失又は置き去りにされた場合、それは水中に永遠には残らない。
【００２８】
本発明のなおも他の実施態様は、ここに記載されたような、天然に生ずる炭水化物及びタンパク質を含む、消化可能な生物分解性材料から形成される魚及び／又はその他の水生動物用の誘引剤又は餌製品を含む。本発明のその他の実施態様は、天然に生ずる炭水化物及びタンパク質を含む生物分解性材料を製造する方法、並びにかかる材料から擬似餌、及びその他の品目及び物体を製造する方法を含む。
【００２９】
本発明は、ここに開示された１種以上の生物分解性材料から擬似餌又はその他の品目を製造する方法も含む。例となる実施態様において、本発明の方法は、ここに開示された１つ以上の製法に従って成分を混合すること、成形型を使用して組成物を種々の擬似餌形状に形成すること、及び所望の物理的ちょう度及び特性を発展させるために擬似餌を硬化することを好ましくは含む。好ましく、かつ例となる実施態様において、方法は、典型的なプラスチック擬似餌又はその他のプラスチック品目を製造するために一般に使用される同じタイプの成形型を利用する。この方法は、好ましくは液体組成物をアルミニウム成形型に置くこと、成形型をおよそ４−３０℃に１５分未満、冷却すること、及び形成された擬似餌又はその他の品目を成形型から外すことを含む。組成物次第で、４℃で２０−４４時間、又は５０℃もの高さで３−５時間の硬化が必要とされ得る。材料の硬化速度は、第一に硬化環境中の時間、温度及び相対湿度の関数であると考えられた。ここに記載された例となる実施態様は、広範囲の典型的な周囲温度及び湿度で適切な硬化特性を有すると考えられるが、ある場合に製造を促進するために、気候が制御された製造及び硬化設備を提供することが望ましくなり得る。あるいは、硬化時間は、既存の周囲条件次第で調整され得る。
【００３０】
硬化工程の進行は、時間に対する材料の重量減少を測定することによって、及び／又は材料の硬度及び／又はその他の特性を測定することによって監視され得る。所望の硬化状態に達すると、擬似餌又はその他の物体は、乾燥過度を防ぎ、かつ所望の感触及び材料のちょう度を保持するために、好ましくは天然油で噴霧被覆される。あるいは、物体は、乾燥過度を防ぎ、かつ所望の感触及び材料のちょう度を保持するために、所望の硬化状態に達すると、包装され、かつ密封される。本発明の例となる実施態様において、許容できる感触、耐久性及び生物分解性を有する擬似餌は、５の荷重範囲、及び２００ｍｍ／分の速度で、インストロン試験装置を使用してテストされた。トカゲ形状の擬似餌は、頚部のすぐ下、かつ後脚の上をつかまれた。材料は、切断前に少なくとも約２５％の伸びを可能にすると考えられた。最も好ましくは、材料は、切断前に少なくとも約１００％の伸びを可能にすると考えられた。加えられる力の後で好ましくは起きる破断は、少なくとも約１−１．５ｋｇに達する。擬似餌材料の圧縮試験は、約１−４ｋｇの硬度を示した。これらの範囲の外の特性を有する材料は、硬度の程度を増加又は減少させることによって達成され得るが、良好な釣りの結果のために、釣り針の感触、行動又は「小刻みな揺動」及び耐久性の適切な組み合わせを有する擬似餌を製造するために、及び容易に生物分解及び／又は魚又はその他の動物の消化管中で消化するために、これらの特性が、示される。
【００３１】
本発明の好ましく、かつ例となる実施態様に従って製造された擬似餌及びその他の品目は、環境中、及び魚種の胃袋中で迅速に生物分解され得る。本発明の例となる実施態様を使用して行われた実験は、環境中の３ヶ月未満の典型的な生物分解速度を示し、かつ嚥下された擬似餌は、魚の消化管から１週間以内に消失した。本発明の例となる実施態様に従った試作擬似餌は、１ｍｍのメッシュのＮｉｔｅｘの袋中に置かれ、かつ水産池の沿岸帯中の深さおよそ０．５メートルの水中に沈められた。温度は、約１９−２８℃からの範囲で、かつ平均約２５℃であった。４５時間後、幾つかの擬似餌は、部分的に分解し、他のものは、大部分が分解した。１０日後、幾つかの擬似餌は、実質的に完全に分解し、かつ他のものは大部分が分解した。３０日後、全ての擬似餌が、実質的に完全に分解した。
【００３２】
本発明は、以下の実施例を参照して、更に理解されるであろう。
【実施例１】
【００３３】
以下の組成の調合物が、調製された：
成分                                  量
水                                    １００ｇ
ショ糖                                ３０．３ｇ
ゼラチン（２００−３００ブルーム）    ３．０ｇ
グリセロール                          ４０．６ｇ
カッパカラゲナン                      ２．０ｇ
塩化カリウム（ＫＣｌ）                ０．４４ｇ
ソルビン酸カリウム                    ０．４８ｇ
食品着色料                            極微量
【００３４】
製造手順：混合容器に、室温で水、ＫＣｌ、及びゼラチンを装填した。徹底的に撹拌した後、混合物は連続してかき混ぜながら加熱された。カラゲナンが次に加えられ、ショ糖、グリセロール及び食品着色料が続いた。ソルビン酸塩は最後に加えられた。撹拌しながらの加熱は、温度が約９０℃に達するまで続いた。この時点で、全ての成分が完全に溶液中に溶解し、かつ混合物は、均質に見えた。高温の溶液は、温かい魚形状のアルミニウム成形型に、注射器を使用して注入された。次に成形型は、急速なゲル化を得るために、約１０分、氷浴に置かれた。凝固擬似餌は、成形型から取り外された。新しく調製された擬似餌は、もろく、かつ上手く掛からなかった。３日間冷蔵庫中に貯蔵するか、５０℃で４−５時間加熱することによる硬化により、より可撓性の、より丈夫な擬似餌を与えられた。しかしながら、結果として生じた擬似餌は、新しい擬似餌と比較して約５０％収縮する。
【００３５】
一旦水中に入れると、この擬似餌は、ぬるぬるした感じがし、膨れ始め、かつより「小刻みに揺れ動く」ようになる。この調合物は、６０℃より高い融解温度を有する。バスが強制的にこれらの擬似餌の餌が与えられた時、その胃の中身は、１週間後、擬似餌の形跡を示さなかった。
【実施例２】
【００３６】
以下の組成の調合物が、調製された：
成分                                  量
水                                    １００ｇ
ショ糖                                ２０ｇ
ゼラチン（２００−３００ブルーム）    ４．０ｇ
グリセロール                          ２０ｇ
カッパカラゲナン                      ２．７５ｇ
塩化カリウム（ＫＣｌ）                ０．６６ｇ
ソルビン酸カリウム                    ０．５ｇ
食品着色料                            極微量
【００３７】
製造手順：混合容器に、室温で水、ＫＣｌ、ゼラチン、及びカラゲナンを装填した。徹底的に撹拌した後、混合物は連続してかき混ぜながら加熱された。一旦温度が６５℃に達すると、ショ糖、グリセロール、ソルビン酸塩及び食品着色料が加えられた。撹拌しながらの加熱は、温度が約８５℃に達するまで続いた。この時点で、全ての成分が完全に溶液中に溶解し、かつ混合物は、均質に見えた。高温の溶液は、魚形状及びトカゲ形状の擬似餌を生じるために、温かいアルミニウム成形型に、注射器を使用して注入された。成形型は、急速にゲル化を得るために、約１０分、氷浴に置かれた。凝固擬似餌は、成形型から取り外された。
【００３８】
新しく調製された擬似餌は、もろく、かつ上手く掛からなかった。２日間冷蔵庫中に貯蔵するか、４−５時間５０℃に加熱することによる硬化により、より可撓性の、より丈夫な擬似餌を与えられた。しかしながら、擬似餌は約５０％収縮する。
【００３９】
一旦水中に入れると、この擬似餌は、ぬるぬるした感じがし、膨れ始め、かつより「小刻みに揺れ動く」ようになる。この調合物は、６０℃より高い融解温度を有する。魚形状の擬似餌は、釣りの間、１８回の投げ入れに対して釣り針上に留まった。第２の魚形状の擬似餌は、小型のバスを捕まえた。
【実施例３】
【００４０】
以下の組成の調合物が、調製された：
成分                                  量
水                                    １０５ｇ
ショ糖                                ５０ｇ
ゼラチン（２００−３００ブルーム）    １０．０ｇ
カッパカラゲナン                      ３．０ｇ
塩化カリウム（ＫＣｌ）                ０．６ｇ
ソルビン酸カリウム                    ０．５ｇ
粉末魚餌                              １．０ｇ
食品着色料                            極微量
【００４１】
製造手順：混合容器に、水、ＫＣｌ、及びゼラチンを装填し、それらを室温でかき混ぜた。徹底的に撹拌した後、混合物は連続してかき混ぜながら加熱された。一旦温度が６５℃に達すると、ショ糖、カラゲナン、及び食品着色料が加えられた。撹拌しながらの加熱は、温度が約８５℃に達するまで続き、その後ソルビン酸塩及び魚餌が加えられた。全ての成分が完全に溶液中に溶解し、かつ混合物は、均質に見えた時、高温の溶液は、魚形状及びトカゲ形状の擬似餌を生じるために、温かいアルミニウム成形型に、注射器を使用して注入された。成形型は、硬いゲルを急速に得るために、約１０分、氷浴に置かれた。凝固擬似餌は、成形型から取り外された。新しく調製された擬似餌は、もろく、かつ上手く掛からなかった。２日間冷蔵庫中に貯蔵することによる硬化により、より可撓性の、より丈夫な擬似餌を与えられた。擬似餌は約５０％収縮するが、釣りの間に水和すると上手く掛かり、かつ膨れる。
【００４２】
９つのトカゲ形状の擬似餌が、釣りに使われた。擬似餌は、テキサススタイルの巻上げを経由して釣り針上に置かれた。９つの使用された擬似餌の内で、７つが食いつきを受け、６尾のバスが掛かった。掛かったバスの２尾が手繰り寄せられ、かつ（「大物」と言われる）４尾が逃げた。
【実施例４】
【００４３】
以下の組成の調合物が、調製された：
成分                                  量
水                                    １００ｇ
ショ糖                                ５０ｇ
ゼラチン（２００−３００ブルーム）    １５．６ｇ
カッパカラゲナン                      ３．０ｇ
塩化カリウム（ＫＣｌ）                ０．６ｇ
ソルビン酸カリウム                    ０．６ｇ
粉末魚餌                              ２．０ｇ
食品着色料                            極微量
【００４４】
製造手順：水を沸騰させ、他方その他の原料はドライブレンドされた。混合容器に、熱水を装填した。乾燥原料は、何回も混合しながら、熱水に加えられた。食品着色料が加えられた。撹拌しながらの加熱は、温度が約９０℃に達するまで続いた。全ての成分が完全に溶液中に溶解し、かつ混合物は、均質に見えた時、高温の溶液は、魚形状及びトカゲ形状の擬似餌を生じるために、温かいアルミニウム成形型に、注射器を使用して注入された。成形型は、硬いゲルを急速に得るために、約１０分、氷浴に置かれた。凝固擬似餌は、成形型から取り外された。新しく調製された擬似餌は、もろく、かつ上手く掛からなかった。２２時間冷蔵庫中に貯蔵することによる硬化により、より可撓性の、より丈夫な擬似餌を与えられた。この擬似餌は大きさで約２０％、かつ重量で約３０％収縮する。
【００４５】
示差走査熱量測定による熱分析は、１００℃（２１２°Ｆ）未満で融解ピークを示さなかった。６０℃（１５０°Ｆ）で２日以上かけて貯蔵された擬似餌は、その形状を保持した。インストロン試験は、擬似餌がゴム擬似餌と類似する強度であるが、可撓性は低いことを示した。
【００４６】
擬似餌は、上手く掛かり、湿るとぬるぬるになり、水和した時に膨らみ、かつ釣りの間により「小刻みに揺れ動く」ようになる。各投げ入れの時間の長さ、及び各投げ入れの強さ次第で、トカゲ擬似餌は、足又は尻尾を失う前に概して１０−２０回の投げ入れに耐える。
【００４７】
この組成物の生物分解性は、魚形状擬似餌を多孔質容器に置くことによって評価され、それはその後池の水を含む１０ガロンの魚タンクに置かれた。フィルタのないポンプは、水に僅かな撹拌を提供する。この魚タンクは、本当の水中環境を真似るように設計された。第２の「崩壊」研究は、２つのトカゲ形状の擬似餌を同じ装置に置くことによってなされた。時間をかけて擬似餌を監視すると、擬似餌又は擬似餌成分は１ヵ月後にはもはや検出されないことが判った。
【実施例５】
【００４８】
以下の組成の調合物が、調製された：
成分                                  量
水                                    ４０ｇ
ショ糖                                １０ｇ
ゼラチン（２００−３００ブルーム）    １４．２ｇ
寒天                                  ２．０ｇ
塩化カルシウム（ＣａＣｌ２）           ０．５ｇ
デンプン                              ２．０ｇ
トウモロコシシロップ                  ２５ｇ
グリセリン                            ２ｇ
食品着色料                            極微量
【００４９】
製造手順：全ての原料は加工前に重さを量る。水を沸騰させ、他方その他の原料はドライブレンドされた。混合容器に、熱水を装填した。乾燥原料は、何回も混合しながら、熱水に加えられた。食品着色料が加えられた。撹拌しながらの加熱は、温度が約９０℃に達するまで続いた。全ての成分が完全に溶液中に溶解し、かつ混合物が均質に見えた時、高温の溶液は、魚形状及びトカゲ形状の擬似餌を生じるために、アルミニウム成形型に、注射器を使用して注入された。成形型は、硬いゲルを急速に得るために、約１５分、冷蔵庫に置かれた。凝固擬似餌は、成形型から取り外された。新しく調製された擬似餌は、もろく、かつ釣り針上に上手く残らなかった。４８時間周囲温度に貯蔵することによる硬化により、より丈夫な、その上なおも可撓性の擬似餌を与えられた。この擬似餌は大きさで約１０％、かつ重量で約２０％収縮する。
【００５０】
制御される環境に２時間、１５０°Ｆの温度で擬似餌を保持することにより、分析が行われた。擬似餌は、この温度で溶けることなく持ちこたえた。擬似餌は、上手く掛かり、湿るとぬるぬるになり、水和した時に膨らみ、かつ釣りの間により「小刻みに揺れ動く」ようになる。擬似餌の引張り強度は、手動グリップを使用してインストロン万能試験器具で試験された時に、市場に出ているプラスチック擬似餌のそれに匹敵した。
【実施例６】
【００５１】
以下の組成の調合物が、調製された：
成分                                  量
水                                    ４０ｇ
ショ糖                                １０ｇ
ゼラチン（２００−３００ブルーム）    １４．２ｇ
アルギン酸ナトリウム                  ３．０ｇ
塩化カルシウム（ＣａＣｌ２）           ０．５ｇ
デンプン                              ２．０ｇ
メタリン酸ナトリウム                  １．０ｇ
トウモロコシシロップ                  ２５ｇ
グリセリン                            ２ｇ
食品着色料                            極微量
【００５２】
製造手順：全ての原料は加工前に重さを量る。水を沸騰させ、他方その他の原料はドライブレンドされた。混合容器に、熱水を装填した。乾燥原料は、何回も混合しながら、熱水に加えられた。食品着色料が加えられた。撹拌しながらの加熱は、温度が約９０℃に達するまで続いた。全ての成分が完全に溶液中に溶解し、かつ混合物が均質に見えた時、高温の溶液は、魚形状及びトカゲ形状の擬似餌を生じるために、アルミニウム成形型に、注射器を使用して注入された。成形型は、硬いゲルを急速に得るために、約１５分、冷蔵庫に置かれた。凝固擬似餌は、成形型から取り外された。新しく調製された擬似餌は、もろく、かつ釣り針上に上手く残らなかった。周囲温度に貯蔵することによる硬化は、湿度により異なり、かつ約１０−３０時間からの範囲であり得、かつより丈夫な、その上なおも可撓性の擬似餌が与えられた。この擬似餌は大きさで約１０％、かつ重量で約１５％収縮する。
【００５３】
制御される環境に２時間、１７０°Ｆの温度で擬似餌を保持することにより、分析が行われた。擬似餌は、この温度で溶けることなく持ちこたえた。擬似餌は、上手く掛かり、湿るとぬるぬるになり、水和した時に膨らみ、かつ釣りの間により「小刻みに揺れ動く」ようになる。この擬似餌は、テキサス巻上げ方法で釣り針に取り付けられた。擬似餌は、次に水中に投げ入れられ、かつ取り出された。このことは、擬似餌が壊れ、かつ／又は引き離されるまで繰り返された。この擬似餌調合物は、２０回以上の投げ入れに対して引き離されなかった。
【００５４】
トカゲの成形型から成形された擬似餌が、調製された。頭部から尻尾の始めまでは、長さ５．５インチであり、かつ先細になった。頭部は、１．２５インチであり、本体の中部は、１．７５インチであり、かつ尻尾は、２．５０である。擬似餌は、インストロン試験器具の上部及び下部グリップ留め具中に置かれる。上部グリップは、脚部が本体の胴部に取り付けられた頭部端部に取り付けられた。下部グリップは、脚部が取り付けられる本体の胴部端部に取り付けられた。５０ｋｇの荷重変換器が、引張り強度試験用に使用された。荷重範囲は、試験の変動性を減少させるために、５に設定された。帯形記録計が、データを記録するために用いられた。クロスヘッド速度の１：１記録計は、試験のために使用された。クロスヘッドは、１分当り５０ｍｍの速度で動いた。擬似餌の引張り強さは、手動グリップを使用してインストロン万能試験器具で試験された時に、市場に出ているプラスチック擬似餌のそれに匹敵した。プラスチック擬似餌は、０．９８ｋｇの荷重を負担し、かつ切断前に１２３．６ｍｍまで伸びたが、他方試験擬似餌は、１．０８ｋｇの荷重を負担することができ、かつ切断前に１１９．７ｍｍ伸びた。
【実施例７】
【００５５】
典型的なポリ塩化ビニル調合物から作られるプラスチック擬似餌は、通常釣られる集団からオオクチバス（Micropterus salmoides）の胃の中でしばしば発見される。プラスチック擬似餌を胃の中に摂取すること及び保持することが、オオクチバスにとって有害であり得ることの研究は記録されていないが、製品をきれいに取り除く又は消費することは、胃又は腸傷害の機会を減少させるであろう。擬似餌が、分解されるか、又は魚の胃から取り除かれるかを決定するために、擬似餌調合物（実施例４及び６）が、オオクチバスに強制的に与えられた。試験毎に６−８尾の魚を使用する２回の試験で、魚の胃に置かれた擬似餌は、３−５日以内で胃から完全に取り除かれた。オオクチバスによる不利な反応は、気付かれなかった。
【実施例８】
【００５６】
以下の組成の調合物が、調製された：
成分                                  量
水                                    ５１３ｇ
グリセロール                          １００ｇ
ショ糖                                １５０ｇ
ゼラチン（２００−３００ブルーム）    １５０ｇ
カッパカラゲナン                      １５ｇ
塩化カリウム（ＫＣｌ）                ３．５ｇ
ソルビン酸カリウム                    ３．０ｇ
魚餌粉                                ７．５ｇ
グリッタ                              ５．０ｇ
食品着色料                            １５−２０滴
【００５７】
製造手順：混合容器に、水及びグリセロールを装填した。徹底的に撹拌した後、溶液は、沸点近くまで加熱された。その他の原料は、ドライブレンドされた。乾燥原料混合物は、何回もかき混ぜながら、熱水／グリセロール溶液に一度に加えられた。溶液は、９０−９５℃の温度まで閉鎖された容器内で加熱された。この時点で、混合物は均質かつ流体である。高温の溶液は、（例えば、トカゲ形状、虫形状の）冷却した成形型に、注射器を使用して手動で注入された。ゲル化は、ほぼ即座に生じた。ゲルの強度は、保持時間及び温度次第であり、時間が増加し、かつ温度が減少すると、増加する。擬似餌は、２３℃、かつ３５−４０％の相対湿度でおよそ３時間、硬化するために、垂直に吊るされた。硬化擬似餌は、植物油が噴霧され、ビニール袋に入れられた。擬似餌は、強度、可撓性を有し、かつ釣りの間釣り針上に留まる。擬似餌は、１３０℃の温度に耐える。非公式な釣りの結果、バスが捕まえられた。
【実施例９】
【００５８】
以下の組成の調合物が、調製された：
成分                                  量
水                                    １０２ｇ
ショ糖                                ５０ｇ
ゼラチン（２００−３００ブルーム）    ３０ｇ
カッパカラゲナン                      ３ｇ
イナゴマメゴム                        ０．５ｇ
塩化カリウム（ＫＣｌ）                ０．７５ｇ
ソルビン酸カリウム                    ０．６ｇ
魚餌粉                                １．５ｇ
グリッタ                              １．０ｇ
食品着色料                            ５−１０滴
【００５９】
製造手順：混合容器に、ほぼ沸騰した水を装填した。その他の原料は、ドライブレンドされた。乾燥原料混合物は、何回もかき混ぜながら、熱水に一度に加えられた。結果として生じた混合物は、実施例８のそれよりも遥かに高粘度である。溶液は、９０−９５℃の温度まで閉鎖された容器内で加熱された。この時点で、混合物は均質かつ注入可能である（それは、実施例８よりもなおも高粘度であって、加工することを一層困難にしている）。高温の溶液は、（例えば、トカゲ形状、虫形状の）冷却した成形型に、注射器を使用して手動で注入された。ゲル化は、ほぼ即座に生じた。ゲルの強度は、保持時間及び温度次第であり、時間が増加し、かつ温度が減少すると、増加する。擬似餌は、２４℃、かつ５０％の相対湿度でおよそ６−８時間、硬化するために横たえられた。硬化擬似餌は、植物油が噴霧され、ビニール袋に入れられた。擬似餌は、強度、可撓性を有し、かつ釣りの間釣り針上に留まる。擬似餌は、１３０℃の温度に耐える。非公式な釣りの結果、バスが捕まえられた。
【実施例１０】
【００６０】
以下の組成の調合物が、調製された：
成分                                  量
水                                    ５ガロン
ショ糖                                ９．２ｋｇ
ゼラチン（２００−３００ブルーム）    ２．９ｋｇ
カッパカラゲナン                      ５４４ｇ
塩化カリウム（ＫＣｌ）                １１４ｇ
ソルビン酸カリウム                    １１４ｇ
魚餌粉                                １５１ｇ
グリッタ                              １５１ｇ
食品着色料                            ５８ｍＬ
【００６１】
製造手順：上記の調合物を使用した擬似餌製造が、工程をスケールアップする実現可能性を探求するために、商業的な軟質擬似餌製造において行われた。混合容器は、１５ガロンのステンレス鋼容器であり、加圧されることが可能であった。この容器は、成形型への試料の注入を可能にするためのバルブを有する。容器は、バンドヒータを備えた。従って、この容器は、流体材料を加熱、混合及び注入することに役立った。容器に、６０−７０℃に加熱された水を装填した。その他の原料は、ドライブレンドされた。乾燥原料混合物は、何回もかき混ぜながら、温水に一度に加えられた。溶液は、８５℃の最低温度まで閉鎖された容器内で加熱された（製造中に温度は上昇した）。この時点で、混合物は均質かつ流体である。高温の溶液は、冷却した商業的成形型（すなわち、トカゲ形状の）に、加圧ホースを使用して機械的に注入された。注入圧力及び保持時間は、成形型を過度に充填することなく（すなわち、鋳バリなしに）無傷のトカゲを生じさせるために調節される。一括処理の部分的な利用の結果、５００−６００個のトカゲが製造され、それらは硬化するためにトレー上に横たえられた。新しい擬似餌は、脆弱であり、硬化する必要があった。硬化条件は、２４℃かつ１５−２０％の相対湿度で８−１０時間であった。これらの条件は、実際に厳しすぎ、かつ擬似餌は幾分過度に乾燥した。硬化擬似餌は、植物油が噴霧され、ビニール袋に包装された（１０個のトカゲ／袋）。硬化擬似餌の強度は、優れているが、可撓性は、改良可能であった。しかしながら、この企画の主要な目的は、商業的な製造に関する潜在的問題を評価することであった。生物分解性擬似餌調合物が、深刻な問題なしに、プラスチック擬似餌を作るために現在使用されている装置で使用され得ることは、明らかである。
【実施例１１】
【００６２】
実施例６の比率の調合物もスケールアップされ、結果として商業的製造条件で、再度擬似餌を製造した。この調合物のより高い粘度は、注入中により高い圧力を必要とし、そのことは幾らかの鋳バリを引き起こした。異なる調合物は、各々が加工条件の独自の最適化を必要とする。種々の擬似餌形状が、成功裏に調製された。再度、スケールアップに関連した問題が、取り組まれ得、かつ深刻な問題を有さないはずである。
【実施例１２】
【００６３】
以下の組成の調合物が、調製された：
成分                                  量
水                                    ６３．０ｍＬ
トウモロコシシロップ                  ３５ｇ
グリセリン                            ２．３ｇ
ショ糖                                １０ｇ
ゼラチン（２００−３００ブルーム）    １４．２ｇ
アルギン酸ナトリウム                  ３．０ｇ
塩化カルシウム（ＣａＣｌ２）           ０．４ｇ
デンプン                              ２．０ｇ
メタリン酸ナトリウム                  １．０ｇ
イナゴマメゴム                        １．０ｇ
安息香酸ナトリウム                    １．０ｇ
食品着色料                            極微量
香料                                  極微量
【００６４】
製造手順：全ての原料は加工前に重さを量る。水を沸騰させ、他方その他の原料はドライブレンドされた。混合容器に、熱水を装填した。乾燥原料は、何回も混合しながら、熱水に加えられた。食品着色料が加えられた。撹拌しながらの加熱は、温度が約９０℃に達するまで続いた。全ての成分が完全に溶液中に溶解し、かつ混合物が均質に見えた時、高温の溶液は、魚形状及びトカゲ形状の擬似餌を生じるために、アルミニウム成形型に、注射器を使用して注入された。成形型は、硬いゲルを急速に得るために、約１５分、冷蔵庫に置かれた。凝固擬似餌は、成形型から取り外された。周囲温度に貯蔵することによる硬化は、湿度により異なり、かつ約１０−３０時間からの範囲であり得、かつより丈夫な、その上なおも可撓性の擬似餌が与えられた。この擬似餌は大きさで約１０％、かつ重量で約１５％収縮する。
【００６５】
制御される環境に２時間、１７０°Ｆの温度で擬似餌を保持することにより、分析が行われた。擬似餌は、この温度で溶けることなく持ちこたえた。擬似餌は、上手く掛かり、湿るとぬるぬるになり、水和した時に膨らみ、かつ釣りの間により「小刻みに揺れ動く」ようになる。この擬似餌は、テキサス巻上げ方法で釣り針に取り付けられた。擬似餌は、次に水中に投げ入れられ、かつ取り出された。このことは、擬似餌が壊れ、かつ／又は引き離されるまで繰り返された。この擬似餌調合物は、２０回以上の投げ入れに対して引き離されなかった。
【００６６】
トカゲの成形型から成形された擬似餌が、調製された。頭部から尻尾の始めまでは、長さ５．５インチであり、かつ先細になった。頭部は、１．２５インチであり、本体の中部は、１．７５インチであり、かつ尻尾は、２．５０である。擬似餌は、インストロン試験器具の上部及び下部グリップ留め具中に置かれる。上部グリップは、脚部が本体の胴部に取り付けられた頭部端部に取り付けられた。下部グリップは、脚部が取り付けられる本体の胴部端部に取り付けられた。５０ｋｇの荷重変換器が、引張り強度試験用に使用された。荷重範囲は、試験の変動性を減少させるために、５に設定された。帯形記録計が、データを記録するために用いられた。クロスヘッド速度の１：１記録計は、試験のために使用された。クロスヘッドは、１分当り５０ｍｍの速度で動いた。擬似餌の引張り強さは、手動グリップを使用してインストロン万能試験器具で試験された時に、市場に出ているプラスチック擬似餌のそれに匹敵した。プラスチック擬似餌は、０．９８ｋｇの荷重を負担し、かつ切断前に１２３．６ｍｍまで伸びたが、他方試験擬似餌は、１．０８ｋｇの荷重を負担することができ、かつ切断前に１１９．７ｍｍ伸びた。組織輪郭分析もインストロン万能試験器具を使用して達成された。２つの因子が輪郭において確認された：硬度及び弾力である。プラスチック擬似餌は、１．０５の硬度因子及び１００％の弾力因子を有した。試験擬似餌は、１．２５の硬度因子及び９１％の弾力因子を有した。
【００６７】
本発明は、好ましく、かつ例となる実施態様を参照して記載されたが、多数の変更、追加及び削除は、以下の特許請求の範囲で定義された通りの、発明の範囲内にあることが当業者により理解されるであろう。
【図面の簡単な説明】
【００６８】
【図１】本発明の例となる実施態様による生物分解性材料から構成された擬似餌を示す。
【符号の説明】
【００６９】
１０  擬似餌
２０  釣り針
３０  はと目
【国際公開パンフレット】
2005501540.tif 000002
2005501540.tif 000003
2005501540.tif 000004
2005501540.tif 000005
2005501540.tif 000006
2005501540.tif 000007
2005501540.tif 000008
2005501540.tif 000009
2005501540.tif 000010
2005501540.tif 000011
2005501540.tif 000012
2005501540.tif 000013
2005501540.tif 000014
2005501540.tif 000015
2005501540.tif 000016
2005501540.tif 000017
2005501540.tif 000018
2005501540.tif 000019
2005501540.tif 000020
2005501540.tif 000021
2005501540.tif 000022
2005501540.tif 000023
2005501540.tif 000024
2005501540.tif 000025
2005501540.tif 000026
2005501540.tif 000027
2005501540.tif 000028
2005501540.tif 000029
2005501540.tif 000030
2005501540.tif 000031
2005501540.tif 000032
【国際公開パンフレット（コレクトバージョン）】
2005501540.tif 000033
【国際調査報告】
2005501540.tif 000034